(57)【要約】      （修正有）【課題】ネジ着脱時にネジ部品が落下しにくくするドライバ用補助具を提供する。【課題手段】ドライバ軸の軸方向に嵌脱自在な本体部２、本体部２からドライバ軸の先端方向に延設された４本の可撓性を有する前側脚部３〜５、各前側脚部の前端部に形成したねじチャック部１９、本体部２からドライバ軸の後端方向に延設された４本の可撓性を有する後側脚部１１乃至１３、後側脚部１１乃至１３に形成したドライバ軸チャック部２０を備え、ねじチャック部１９とドライバ軸チャック部２０は、ドライバ軸に挿入されるときチャック口が開いてドライバ軸を挟持可能に形成し、更にドライバ軸に本体部２が嵌合された状態でのねじチャック部１９は、ドライバ軸がねじの頭部に差し込まれているときに、本体部２がドライバ軸の先端方向または後端方向に移動されると、ねじ頭部の乗り越え前後でチャック口を半径方向外側に開閉してねじ首部またはドライバ軸を挟持可能にした。【選択図】図１
0003219105.tif 000002
【実用新案登録請求の範囲】
【請求項１】
ドライバのドライバ軸に対し軸方向に嵌脱自在な本体部と、
本体部の先端側からドライバ軸の先端方向に延設されるとともに、ドライバ軸の周囲を囲むように配設された複数本の可撓性を有する前側脚部と、
各前側脚部の前端部を鉤状に折り曲げて形成されたねじチャック部と、
本体部の後端側からドライバ軸の後端方向に延設されるとともに、ドライバ軸の周囲を囲むように配設された複数本の可撓性を有する後側脚部と、
後側脚部の後端部を鉤状に折り曲げて形成されたドライバ軸チャック部と、
を備え、
ねじチャック部とドライバ軸チャック部は、ドライバ軸に挿入されるとき、チャック口がドライバ軸の半径方向外側に開いてドライバ軸を挟持可能に形成されており、
更に、
ドライバ軸に本体部が嵌合された状態にあるときのねじチャック部は、ドライバ軸の先端がねじの頭部のドライバ差し込み溝に差し込まれているときに、本体部がドライバ軸の先端方向または後端方向に移動されると、ねじの頭部の乗り越え前後でチャック口をドライバ軸の半径方向外側に開閉しながらねじの首部またはドライバ軸を挟持可能に形成されていること、
を特徴とするドライバ用補助具。
【請求項２】
前側脚部と後側脚部を、共通の脚部材により形成したこと、
を特徴とする請求項１記載のドライバ用補助具。
【考案の詳細な説明】
【技術分野】
【０００１】
本考案はドライバ用補助具に係り、とくに着脱対象のネジ部品の脱落を防止するドライバ用補助具に関する。
【背景技術】
【０００２】
ドライバでネジ部品を木材、プラスチック部材、金属部材等に着脱する際、ネジ部品の着脱箇所が作業者の手元から離れていたり、ネジ部品の着脱箇所と手元の間に他の部材があり、隙間からドライバを差し込んでネジを着脱しなければならないときなど、ネジ部品を指で支えるのが難しい場合、着脱途中で誤ってネジ部品を落下させてしまう場合があった。
従来は、ドライバ軸を磁化させてネジ部品の落下防止を図っていたが、磁性体製のネジ部品にしか対応できず、また、ドライバ軸に磁着したネジ部品を周辺の部材に当てると、容易に脱落してしまう欠点があった。
【考案の概要】
【考案が解決しようとする課題】
【０００３】
本考案は上記した従来技術の問題に鑑みなされたもので、ネジ着脱時にネジ部品が落下しにくくなるドライバ用補助具を提供することを、その目的とする。
【課題を解決するための手段】
【０００４】
請求項１記載のドライバ用補助具では、
ドライバのドライバ軸に対し軸方向に嵌脱自在な本体部と、
本体部の先端側からドライバ軸の先端方向に延設されるとともに、ドライバ軸の周囲を囲むように配設された複数本の可撓性を有する前側脚部と、
各前側脚部の前端部を鉤状に折り曲げて形成されたねじチャック部と、
本体部の後端側からドライバ軸の後端方向に延設されるとともに、ドライバ軸の周囲を囲むように配設された複数本の可撓性を有する後側脚部と、
後側脚部の後端部を鉤状に折り曲げて形成されたドライバ軸チャック部と、
を備え、
ねじチャック部とドライバ軸チャック部は、ドライバ軸に挿入されるとき、チャック口がドライバ軸の半径方向外側に開いてドライバ軸を挟持可能に形成されており、
更に、
ドライバ軸に本体部が嵌合された状態にあるときのねじチャック部は、ドライバ軸の先端がねじの頭部のドライバ差し込み溝に差し込まれているときに、本体部がドライバ軸の先端方向または後端方向に移動されると、ねじの頭部の乗り越え前後でチャック口をドライバ軸の半径方向外側に開閉しながらねじの首部またはドライバ軸を挟持可能に形成されていること、
を特徴としている。
請求項２記載のドライバ用補助具では、
前側脚部と後側脚部を、共通の脚部材により形成したこと、
を特徴としている。
【考案の効果】
【０００５】
本考案によれば、ドライバ軸の先端にねじ部品を機械的に保持可能となるので、磁性体製でないネジ部品であっても落下を防止でき、また、ドライバ軸の先端にねじを保持した状態でネジ部品を何かの部材に当てても落下させる恐れがなくなる。
【図面の簡単な説明】
【０００６】
【図１】本考案に係るドライバ用補助具の正面図である（実施例１）。
【図２】図１の左側面図である。
【図３】図１の右側面図である。
【図４】図１のＩＶ−ＩＶ’線に沿った断面図である。
【図５】ドライバ用補助具の使用方法の説明図である。
【図６】ドライバ用補助具の使用方法の説明図である。
【図７】ドライバ用補助具の使用方法の説明図である。
【図８】ドライバ用補助具の使用方法の説明図である。
【図９】ドライバ用補助具の使用方法の説明図である。
【図１０】ドライバ用補助具の使用方法の説明図である。
【図１１】ドライバ用補助具の使用方法の説明図である。
【図１２】ドライバ用補助具の使用方法の説明図である。
【考案を実施するための最良の形態】
【０００７】
以下、本考案の最良の形態を実施例に基づき説明する。
【実施例１】
【０００８】
図１乃至図４を参照して本考案の一実施例を説明する。図１は本考案に係るドライバ用補助具の平面図、図２は図１の左側面図、図３は図１の右側面図、図４は図１のＩＶ−ＩＶ’線に沿った断面図である。
これらの図において、１はドライバ用補助具であり、ドライバ（図５の符号３０参照）にねじ（図６の符号４０参照）を着脱自在に保持する機能を有する。ドライバ用補助具１の内、２はドライバ３０のドライバ軸（図５の符号３１参照）に対し軸方向に嵌脱自在に形成された筒状の本体部、３乃至６は本体部２の先端側からドライバ軸３１の先端方向に延設されるとともに、ドライバ軸３１の周囲を囲むように配設された４本の可撓性を有する長尺で板状の前側脚部、７乃至１０は各前側脚部３乃至６の前端部に折り曲げ加工で形成された鉤部、１１乃至１４は本体部２の後端側からドライバ軸３１の後端方向に延設されるとともに、ドライバ軸３１の周囲を囲むように配設された４本の可撓性を有する短尺で板状の後側脚部、１５乃至１８は各後側脚部１１乃至１４の後端部に折り曲げ加工により形成された鉤部である。
鉤部７乃至１０により、ねじ４０の首部４１またはドライバ軸３１を着脱自在に保持するねじチャック部１９が構成されており、鉤部１５乃至１８によりドライバ軸３１を着脱自在に保持するドライバ軸チャック部２０が構成されている。
【０００９】
ここでねじ４０は首部４１と螺子部４２の外径がドライバ軸３１の外径より小さく、ねじ４０の頭部４３の外径はドライバ軸３１の外径より大きいとする。解放時のねじチャック部１９は、先端側から見たチャック口２１がねじ４０の首部４１の外径より小さくなるように形成されている（従って、解放時のねじチャック部１９のチャック口２１は、ドライバ軸３１の外径より遥かに小さい）。また、解放時のドライバ軸チャック部２０は、後端側から見たチャック口２２がドライバ軸３１の外径より小さくなるように形成されている。
【００１０】
ドライバ用補助具１とドライバ３０が分離した状態で、ドライバ軸チャック部２０の側をドライバ３０の先端に向け、ドライバ３０のドライバ軸３１と軸を合わせてドライバ用補助具１のドライバ軸チャック部２０をドライバ軸３１に挿入すると、後側脚部１１乃至１４が撓んでドライバ軸チャック部２０のチャック口２２がドライバ軸３１の半径方向外側に開きながら、最初はドライバ軸３１の先端部を挟持し、挟持箇所が後方へ移動するにつれて本体部２がドライバ軸３１に嵌合し、更に、前側脚部３乃至６が撓んでねじチャック部１９のチャック口２１がドライバ軸３１の半径方向外側に開きながら、ドライバ軸３１の先端部を挟持し、挟持箇所が後方へ移動する。
【００１１】
ドライバ軸３１の先端がねじ４０のドライバ差し込み溝（図示せず）に差し込まれた状態で、本体部２がドライバ軸３１の先端方向または後端方向に移動されると、ねじチャック部１９はねじ４０の頭部４３の乗り越え前後で、前側脚部３乃至６の可撓性によりチャック口２１がドライバ軸３１の半径方向に開閉しながら首部４１またはドライバ軸３１を挟持するようになっている。
一方、ドライバ軸チャック部２０はねじ４０の頭部４３の乗り越え前後で、前側脚部３乃至６の可撓性によりチャック口２１がドライバ軸３１の半径方向に開閉しながらねじ４０の首部４１またはドライバ軸３１を挟持するようになっている。
【００１２】
前側脚部３乃至６と後側脚部１１乃至１４は共通の脚部材２３乃至２６により形成されている。すなわち、本体部２の外周壁に沿って周方向へ９０度ずつ離して４本の脚部材２３乃至２６が軸方向に延設されており、本体部２の前端近くと後端近くに脚部材２３乃至２６を挟んで外側に嵌着された固定環２７、２８により、本体部２に一体化されている。脚部材２３乃至２６の内、前側の固定環２７の前方延設部分が前側脚部３乃至６、後側の固定環２８の後方延設部分が後側脚部１１乃至１４となっている。
ドライバ用補助具１の全長はドライバ３０のドライバ軸３１より少し短く形成されている。
【００１３】
次に、図５乃至図１２を参照して上記したドライバー用補助具１の使用方法を説明する。
（１）ねじの取り付け
ねじ４０を対象部材（図７（２）の符号５０参照）に取り付けたい場合、まず、ドライバ用補助具１をドライバ軸チャック部２０の側からドライバ３０のドライバ軸３１に嵌合する（図５参照）。具体的には、ドライバ軸チャック部２０の側をドライバ３０の先端に向け、ドライバ３０と軸を合わせてドライバ用補助具１のドライバ軸チャック部２０をドライバ軸３１に挿入する。すると、後側脚部１１乃至１４が撓んでドライバ軸チャック部２０のチャック口２２がドライバ軸３１の半径方向外側に開きながら、最初はドライバ軸３１の先端部を挟持し、挟持箇所が後方へ移動するにつれて本体部２がドライバ軸３１に嵌合し、更に、前側脚部３乃至６が撓んでねじチャック部１９のチャック口２１が半径方向に開きながら、ドライバ軸３１の先端部を挟持し、挟持箇所が後方へ移動する。ドライバ軸チャック部２０はドライバ軸３１の後端に来るまで移動する。このとき、ねじチャック部１９はドライバ軸３１の先端から少し後ろ寄りの位置に来る。
【００１４】
次に、ドライバ軸３１の先端をねじ４０の頭部４３に形成されたドライバ差し込み溝（図示せず）に差し込んだ状態でねじ４０を指で支持し（図６（１）参照）、ドライバ用補助具１をドライバ軸３１の先端方向へ移動する。ねじチャック部１９はねじ４０の頭部４３を乗り越える際に、前側脚部３乃至６の可撓性によりチャック口２１がドライバ軸３１の半径方向外側に大きく開き（図６（２）参照）、乗り越え後、チャック口２１が狭くなって首部４１を挟持する（図７（１）参照）。これにより、ねじ４０から指を離してもねじ４０は落下せず、更にネジ４０を何かの部材に当てても落下させる恐れはない。
【００１５】
次に、ねじ４０の先端を取り付け対象部材５０に当て、押し込みながらドライバ３０を回して螺進させる（図７（２）参照）。途中まで螺進したところで（図８（１）参照）、ドライバ用補助具１をドライバ軸３１の後端方向へ移動する。ねじチャック部１９はねじ４０の頭部４３を乗り越える際に、前側脚部３乃至６の可撓性によりチャック口２１がドライバ軸３１の半径方向外側に大きく開き、乗り越え後、チャック口２１が狭くなってドライバ軸３１を挟持する（図８（２）参照）。このあと、ドライバ３０を回してねじ４０の螺合を完了すれば良い（図９（１）、（２）参照）。
【００１６】
（２）ねじの取り外し
反対に、取り付け対象部材５０に取り付けられたねじ４０を外したい場合、まず、ドライバ用補助具１をドライバ軸チャック部２０の側からドライバ３０のドライバ軸３１に嵌合し、ねじチャック部１９がドライバ軸３１の先端から少し後ろ寄りの位置に来るようにする（図５の下部参照）。
ドライバ軸３１の先端をねじ４０の頭部４３のドライバ差し込み溝（図示せず）に差し込み、ドライバ３０を螺退方向に逆回しして、ねじ４０を途中まで螺退させる（図１０（１）、（２）、図１１（１）参照）。
【００１７】
次に、ドライバ用補助具１をドライバ軸３１の先端方向へ移動する。ねじチャック部１９はねじ４０の頭部４２を乗り越える際に、前側脚部３乃至６の可撓性によりチャック口２１がドライバ軸３１の半径方向外側に大きく開き、乗り越え後、チャック口２１が狭くなって首部４１を挟持する（図１１（２）参照）。この状態でドライバ３０を螺退方向に逆回しして完全に螺退させ、ねじ４０を取り付け対象部材５０から外す（図１２参照）。ねじ４０はねじチャック部１９に保持されているので、指で支持しなくても落下せず、更にネジ４０を周辺の何かの部材に当てても落下させる恐れはない。
【００１８】
この実施例によれば、ドライバ軸３１の先端にねじ４０を機械的に保持可能となるので、磁性体製でないネジ部品でも落下を防止でき、また、ドライバ軸３１の先端にねじ４０を保持した状態で周辺の何かの部材に当てても落下させる恐れがなくなる。
【００１９】
なお、上記した実施例では、前側脚部と後側脚部を本体部に固定された共通の脚部材の長さ方向の両側に設ける場合を例に挙げたが、本考案は何らこれに限定されず、前側脚部と後側脚部を各々、本体部の前部と後部に固定した別個の脚部材により形成するようにしても良い。
また、前側脚部と後側脚部をドライバ軸の周囲に４つずつ配設する場合を例に挙げて説明したが、本考案は何らこれに限定されず、３つ或いは５つ以上配設するようにしても良い。
【産業上の利用可能性】
【００２０】
本考案は、ねじ部品の着脱に用いる各種のドライバーに適用可能である。
【符号の説明】
【００２１】
１  ドライバ用補助具
２  本体部
３乃至６  前側脚部
７乃至１０、１５乃至１８  鉤部
１１乃至１４  後側脚部
１９  ねじチャック部
２０  ドライバ軸チャック部
４０  ねじ
４１  首部
４３  頭部
【図１】
0003219105.tif 000003
【図２】
0003219105.tif 000004
【図３】
0003219105.tif 000005
【図４】
0003219105.tif 000006
【図５】
0003219105.tif 000007
【図６】
0003219105.tif 000008
【図７】
0003219105.tif 000009
【図８】
0003219105.tif 000010
【図９】
0003219105.tif 000011
【図１０】
0003219105.tif 000012
【図１１】
0003219105.tif 000013
【図１２】
0003219105.tif 000014